【手続補正書】
【提出日】平成20年10月20日(2008.10.20)
【手続補正１】
【補正対象書類名】特許請求の範囲
【補正対象項目名】請求項１０
【補正方法】変更
【補正の内容】
【請求項１０】
前記第１格子と前記第２格子との間のｉ（ｉは自然数）番目の物質、または、空間の屈折率をｎｉ、その厚みをｔｉとし、
前記第２格子と前記第３格子との間のｊ（ｊは自然数）番目の物質、または、空間の屈折率をｎｊ、その厚みｔｊとし、
前記第１格子と前記第２格子との間の光学距離をｚ１＝Σｔｉ／ｎｉとし、
前記第２格子と前記第３格子との間の光学距離をｚ２＝Σｔｊ／ｎｊと定義したとき、
ｐ１＝ｐ３＝２・ｐ２で、ｚ１≒ｚ２であり、
ｂを１以上の自然数としたときに、前記第３格子の第３の有効幅Ｗ３の値が以下の２つの式のいずれかを満たすことを特徴とする請求項５に記載の光学式エンコーダ。
【数２】
2008064705.tif 000001
【手続補正２】
【補正対象書類名】特許請求の範囲
【補正対象項目名】請求項１４
【補正方法】変更
【補正の内容】
【請求項１４】
前記第１格子と前記第２格子との間のｉ（ｉは自然数）番目の物質、または、空間の屈折率をｎｉ、その厚みをｔｉとし、
前記第２格子と前記アレイ状光検出器との間のｊ（ｊは自然数）番目の物質、または、空間の屈折率をｎｊ、その厚みをｔｊとし、
前記第１格子と前記第２格子との間の光学距離をｚ１＝Σｔｉ／ｎｉとし、
前記第２格子と前記アレイ状光検出器との間の光学距離をｚ２＝Σｔｊ／ｎｊと定義したとき、
ｐ１＝ｐ３＝２・ｐ２で、ｚ１≒ｚ２であり、
ｂを１以上の自然数としたときに、前記アレイ状光検出器の第３の有効幅Ｗ３の値が以下の２つの式のいずれかを満たすことを特徴とする請求項６に記載の光学式エンコーダ。
【数６】
2008064705.tif 000002
【手続補正３】
【補正対象書類名】特許請求の範囲
【補正対象項目名】請求項１５
【補正方法】変更
【補正の内容】
【請求項１５】
前記第１格子と前記第２格子との間のｉ（ｉは自然数）番目の物質、または、空間の屈折率をｎｉ、その厚みをｔｉとし、
前記第２格子と前記アレイ状光検出器との間のｊ（ｊは自然数）番目の物質、または、空間の屈折率をｎｊ、その厚みｔｊとし、
前記第１格子と前記第２格子との間の光学距離をｚ１＝Σｔｉ／ｎｉとし、
前記第２格子と前記アレイ状光検出器との間の光学距離をｚ２＝Σｔｊ／ｎｊと定義したとき、
ｐ１＝ｐ３＝２・ｐ２で、ｚ１≒ｚ２であり、
前記第１格子の第１の有効幅Ｗ１と前記アレイ状光検出器の第３の有効幅Ｗ３が以下の式を満たすことを特徴とする請求項８に記載の光学式エンコーダ。
【数７】
2008064705.tif 000003
【手続補正４】
【補正対象書類名】特許請求の範囲
【補正対象項目名】請求項１６
【補正方法】変更
【補正の内容】
【請求項１６】
前記第１格子と前記第２格子との間のｉ（ｉは自然数）番目の物質、または、空間の屈折率をｎｉ、その厚みをｔｉとし、
前記第２格子と前記アレイ状光検出器との間のｊ（ｊは自然数）番目の物質、または、空間の屈折率をｎｊ、その厚みをｔｊとし、
前記第１格子と前記第２格子との間の光学距離をｚ１＝Σｔｉ／ｎｉ、
前記第２格子とアレイ状光検出器との間の光学距離をｚ２＝Σｔｊ／ｎｊと定義したとき、
ｐ１＝ｐ３＝２・ｐ２で、ｚ１≒ｚ２であり、
前記第１格子の第１の有効幅Ｗ１と前記アレイ状光検出器の第３の有効幅Ｗ３が以下の式を満たすことを特徴とする請求項８に記載の光学式エンコーダ。
【数８】
2008064705.tif 000004
【手続補正５】
【補正対象書類名】明細書
【補正対象項目名】００３４
【補正方法】変更
【補正の内容】
【００３４】
【数２】
2008064705.tif 000005
【手続補正６】
【補正対象書類名】明細書
【補正対象項目名】００４１
【補正方法】変更
【補正の内容】
【００４１】
また、本発明の好ましい態様によれば、前記第１格子と前記第２格子との間のｉ（ｉは自然数）番目の物質、または、空間の屈折率をｎｉ、その厚みをｔｉとし、
前記第２格子と前記アレイ状光検出器との間のｊ（ｊは自然数）番目の物質、または、
空間の屈折率をｎｊ、その厚みをｔｊとし、
前記第１格子と前記第２格子との間の光学距離をｚ１＝Σｔｉ／ｎｉとし、
前記第２格子と前記アレイ状光検出器との間の光学距離をｚ２＝Σｔｊ／ｎｊと定義したとき、
ｐ１＝ｐ３＝２・ｐ２で、ｚ１≒ｚ２であり、
ｂを１以上の自然数としたときに、前記アレイ状光検出器の第３の有効幅Ｗ３の値が以下の２つの式のいずれかを満たすことが望ましい。
【手続補正７】
【補正対象書類名】明細書
【補正対象項目名】００４２
【補正方法】変更
【補正の内容】
【００４２】
【数６】
2008064705.tif 000006
【手続補正８】
【補正対象書類名】明細書
【補正対象項目名】００４３
【補正方法】変更
【補正の内容】
【００４３】
また、本発明の好ましい態様によれば、前記第１格子と前記第２格子との間のｉ（ｉは自然数）番目の物質、または、空間の屈折率をｎｉ、その厚みをｔｉとし、
前記第２格子と前記アレイ状光検出器との間のｊ（ｊは自然数）番目の物質、または、空間の屈折率をｎｊ、その厚みｔｊとし、
前記第１格子と前記第２格子との間の光学距離をｚ１＝Σｔｉ／ｎｉとし、
前記第２格子と前記アレイ状光検出器との間の光学距離をｚ２＝Σｔｊ／ｎｊと定義したとき、
ｐ１＝ｐ３＝２・ｐ２で、ｚ１≒ｚ２であり、
前記第１格子の第１の有効幅Ｗ１と前記アレイ状光検出器の第３の有効幅Ｗ３が以下の式を満たすことが望ましい。
【手続補正９】
【補正対象書類名】明細書
【補正対象項目名】００４５
【補正方法】変更
【補正の内容】
【００４５】
また、本発明の好ましい態様によれば、前記第１格子と前記第２格子との間のｉ（ｉは自然数）番目の物質、または、空間の屈折率をｎｉ、その厚みをｔｉとし、
前記第２格子と前記アレイ状光検出器との間のｊ（ｊは自然数）番目の物質、または、空間の屈折率をｎｊ、その厚みをｔｊとし、
前記第１格子と前記第２格子との間の光学距離をｚ１＝Σｔｉ／ｎｉ、
前記第２格子とアレイ状光検出器との間の光学距離をｚ２＝Σｔｊ／ｎｊと定義したとき、
ｐ１＝ｐ３＝２・ｐ２で、ｚ１≒ｚ２であり、
前記第１格子の第１の有効幅Ｗ１と前記アレイ状光検出器の第３の有効幅Ｗ３が以下の式を満たすことが望ましい。
【手続補正１０】
【補正対象書類名】明細書
【補正対象項目名】０１３９
【補正方法】変更
【補正の内容】
【０１３９】
【数２２】
2008064705.tif 000007
【手続補正１１】
【補正対象書類名】明細書
【補正対象項目名】０１４１
【補正方法】変更
【補正の内容】
【０１４１】
【数２３】
2008064705.tif 000008
【手続補正１２】
【補正対象書類名】図面
【補正対象項目名】図１
【補正方法】変更
【補正の内容】
【図１】
2008064705.tif 000009
【手続補正１３】
【補正対象書類名】図面
【補正対象項目名】図４
【補正方法】変更
【補正の内容】
【図４】
2008064705.tif 000010
【手続補正１４】
【補正対象書類名】図面
【補正対象項目名】図８
【補正方法】変更
【補正の内容】
【図８】
2008064705.tif 000011
【手続補正１５】
【補正対象書類名】図面
【補正対象項目名】図１２
【補正方法】変更
【補正の内容】
【図１２】
2008064705.tif 000012